(57)【特許請求の範囲】
【請求項１】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記レール部が溝部により形成されるとともに、前記摺動部が前記溝部に嵌合する突設部により形成されることを特徴とする収納容器。
【請求項２】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記レール部が直線状の切り込みから成るスリットにより形成されるとともに、前記摺動部が曲線状の切り込みにより形成して前記スリットに挿入される舌片部により形成されることを特徴とする収納容器。
【請求項３】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記開封部が前記本体部と前記カバー部との間に帯状に形成され、前記本体部と前記開封部との境界がミシン目状の第１切断部により形成されるとともに、前記カバー部と前記開封部との境界がミシン目状の第２切断部により形成され、第１切断部上で前記樹脂シートが折曲されることを特徴とする収納容器。
【請求項４】
第１切断部が直線状に形成され、第２切断部が第１切断部とは異なる形状に形成されることを特徴とする請求項３に記載の収納容器。
【請求項５】
前記本体部及び前記カバー部のコーナーが所定の曲率半径の曲線により形成され、前記開封部のコーナーが前記開封部に重なる位置の前記本体部または前記カバー部のコーナーよりも小さい曲率半径の曲線により形成されることを特徴とする請求項３または請求項４に記載の収納容器。
【請求項６】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記本体部と前記開封部との境界に前記樹脂シートが折曲される折り線を設けるとともに、前記カバー部と前記開封部との境界に切断可能な切断部を設け、前記切断部が、両側端から前記折り線に対して離れる方向に傾斜するミシン目状の一対の傾斜部と、両方の前記傾斜部を連結した切り込みから成るとともに前記カバー部の開放端の方向に突出する突出片を前記開封部上に形成する突出部とを有することを特徴とする収納容器。
【請求項７】
前記カバー部の内面上に配される台紙を備え、前記台紙が前記開封部の切断後の前記突出片が挿入される切り込みから成る挿入部を有することを特徴とする請求項６に記載の収納容器。
【請求項８】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記レール部が前記本体部と前記カバー部との境界線に直交する方向に延びて前記カバー部に設けられ、前記摺動部が前記本体部の前記開封部から離れた端部に設けられることを特徴とする収納容器。
【請求項９】
前記摺動部が前記カバー部に設けられ、前記レール部が前記本体部に設けられることを特徴とする請求項１〜請求項７のいずれかに記載の収納容器。
【請求項１０】
前記収納部内に前記レール部に直交する方向に延びる凹部を設け、前記摺動部が前記凹部の延長上から避けて配置されることを特徴とする請求項１に記載の収納容器。
【請求項１１】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記収納部内に前記レール部に直交する方向に延びる凹部を設けたことを特徴とする収納容器。
【請求項１２】
前記収納部の底面から突設して内容物を仕切る複数の仕切部を設け、前記仕切部が前記凹部上を避けて配されることを特徴とする請求項１０または請求項１１に記載の収納容器。
【請求項１３】
前記レール部が前記本体部に設けられ、前記摺動部が前記カバー部に設けられることを特徴とする請求項１〜請求項７のいずれかに記載の収納容器。
【請求項１４】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記収納部が平面視略矩形に形成され、前記レール部が前記収納部の短手方向に延びることを特徴とする収納容器。
【請求項１５】
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉し、
前記カバー部の外面上に突起部を設けたことを特徴とする収納容器。
【発明の詳細な説明】
【技術分野】
【０００１】
本発明は、樹脂シートにより形成され、一又は複数の内容物を収納する収納容器に関する。
【背景技術】
【０００２】
従来の収納容器は特許文献１に開示されている。この収納容器は、複数の内容物を収納する収納部を凹設した樹脂製の本体部と、本体部を保持する紙製の支持部とを備える。本体部は収納部から外側に突出したフランジ部を有する。支持部は下端で二つ折りして対向する前面板及び背面板を有し、前面板には収納部を挿通する開口部が設けられている。背面板にはコ字状に形成されたミシン目状の切断部により囲まれた裏蓋部が開口部に面して設けられる。
【０００３】
内容物を収納した収納部は前面板の開口部に挿通され、フランジ部を挟んで前面板と背面板とが貼り合わせられる。これにより、収納部が背面板で閉じられ、収納部に内容物を収納した収納容器が形成される。
【０００４】
使用者が切断部に沿って背面板を破断して裏蓋部を開くと収納部が露出し、内容物を取り出すことができる。また、裏蓋部を閉じて裏蓋部の一端に設けた係止片を背面板に係止することにより、収納部を再封して残りの内容物を保管することができる。
【先行技術文献】
【特許文献】
【０００５】
【特許文献１】特開２００６−２７６５７号公報（第３頁、第１図〜第４図）
【発明の概要】
【発明が解決しようとする課題】
【０００６】
しかしながら、上記従来の収納容器によると、開封時に裏蓋部を開きながら切断部が破断されるため、切断部の破断時の衝撃によって内容物が収納部から飛び出す場合がある。このため、収納容器の利便性が悪い問題があった。
【０００７】
本発明は、利便性を向上できる収納容器を提供することを目的とする。
【課題を解決するための手段】
【０００８】
上記目的を達成するために本発明は、
樹脂シートにより形成され、一又は複数の内容物を収納する収納容器において、
内容物の収納部を凹設した本体部と、
前記樹脂シートの折曲により前記収納部の開口面を覆うカバー部と、
切断により前記本体部と前記カバー部とを分離可能に配される開封部と、
を備え、前記本体部及び前記カバー部の一方が前記収納部の両側方に配される一対のレール部を有するとともに、他方が各前記レール部に対応する一対の摺動部を有し、
前記開封部の切断によって前記本体部から分離される前記カバー部が前記レール部に前記摺動部が摺動案内されてスライドし、前記収納部を開閉することを特徴としている。
【０００９】
この構成によると、一又は複数の内容物を収納した収納部の開口面はカバー部により覆われる。使用者が開封部を切断することによりカバー部は本体部から分離され、収納容器は開封される。その後に、レール部内を摺動部が摺動案内されてカバー部がスライドし、収納部が開閉される。
【００１０】
また本発明は、上記構成の収納容器において、前記レール部が溝部により形成されるとともに前記摺動部が前記溝部に嵌合する突設部により形成されると好ましい。
【００１１】
また本発明は、上記構成の収納容器において、前記レール部が直線状の切り込みから成るスリットにより形成されるとともに前記摺動部が曲線状の切り込みにより形成して前記スリットに挿入される舌片部により形成されると好ましい。
【００１２】
また本発明は、上記構成の収納容器において、前記開封部が前記本体部と前記カバー部との間に帯状に形成され、前記本体部と前記開封部との境界がミシン目状の第１切断部により形成されるとともに、前記カバー部と前記開封部との境界がミシン目状の第２切断部により形成され、第１切断部上で前記樹脂シートが折曲されると好ましい。
【００１３】
また本発明は、上記構成の収納容器において、第１切断部が直線状に形成され、第２切断部が第１切断部と異なる形状に形成されると好ましい。
【００１４】
また本発明は、上記構成の収納容器において、前記本体部及び前記カバー部のコーナーが所定の曲率半径の曲線により形成され、前記開封部のコーナーが前記開封部に重なる位置の前記本体部または前記カバー部のコーナーよりも小さい曲率半径の曲線により形成されると好ましい。
【００１５】
また本発明は、上記構成の収納容器において、前記本体部と前記開封部との境界に前記樹脂シートが折曲される折り線を設けるとともに、前記カバー部と前記開封部との境界に切断可能な切断部を設け、前記切断部が、両側端から前記折り線に対して離れる方向に傾斜するミシン目状の一対の傾斜部と、両方の前記傾斜部を連結した切り込みから成るとともに前記カバー部の開放端の方向に突出する突出片を前記開封部上に形成する突出部とを有すると好ましい。
【００１６】
また本発明は、上記構成の収納容器において、前記カバー部の内面上に配される台紙を備え、前記台紙が前記開封部の切断後の前記突出片が挿入される切り込みから成る挿入部を有すると好ましい。
【００１７】
また本発明は、上記構成の収納容器において、前記レール部が前記本体部と前記カバー部との境界線に直交する方向に延びて前記カバー部に設けられ、前記摺動部が前記本体部の前記開封部から離れた端部に設けられると好ましい。
【００１８】
また本発明は、上記構成の収納容器において、前記摺動部が前記カバー部に設けられ、前記レール部が前記本体部に設けられると好ましい。
【００１９】
また本発明は、上記構成の収納容器において、前記収納部内に前記レール部に直交する方向に延びる凹部を設け、前記摺動部が前記凹部の延長上から避けて配置されると好ましい。
【００２０】
また本発明は、上記構成の収納容器において、前記収納部内に前記レール部に直交する方向に延びる凹部を設けると好ましい。
【００２１】
また本発明は、上記構成の収納容器において、前記収納部の底面から突設して内容物を仕切る複数の仕切部を設け、前記仕切部が前記凹部上を避けて配されると好ましい。
【００２２】
また本発明は、上記構成の収納容器において、前記レール部が前記本体部に設けられ、前記摺動部が前記カバー部に設けられると好ましい。
【００２３】
また本発明は、上記構成の収納容器において、前記収納部が平面視略矩形に形成され、前記レール部が前記収納部の短手方向に延びると好ましい。
【００２４】
また本発明は、上記構成の収納容器において、前記カバー部の外面上に突起部を設けると好ましい。
【発明の効果】
【００２５】
本発明によると、収納部を凹設した本体部と収納部の開口面を覆うカバー部とを有し、切断により本体部とカバー部とを分離可能な開封部が配され、開封部の切断によって本体部とカバー部とが分離される。本体部から分離されたカバー部は摺動部とレール部との摺動によってスライドして収納部が開閉される。これにより、開封部を切断して収納容器を容易に開封できるとともに、開封時に収納部がカバー部により覆われるため内容物の飛び出しが防止される。また、内容物を取り出す際にカバー部のスライドにより収納部が徐々に露出するため内容物の飛び出しが防止される。したがって、収納容器の利便性を向上させることができる。
【図面の簡単な説明】
【００２６】
【図１】本発明の第１実施形態の収納容器の開封前の状態を示す上面図
【図２】本発明の第１実施形態の収納容器の開封前の状態を示す底面図
【図３】図２のＡ−Ａ断面図
【図４】本発明の第１実施形態の収納容器の後端部の右コーナーの周辺を拡大した上面図
【図５】本発明の第１実施形態の収納容器の樹脂シートの展開図
【図６】本発明の第１実施形態の収納容器の開封時の状態を示す上面図
【図７】本発明の第１実施形態の収納容器の収納部を開いた状態を示す上面図
【図８】本発明の第２実施形態の収納容器の開封前の状態を示す上面図
【図９】本発明の第３実施形態の収納容器の開封前の状態を示す上面図
【図１０】本発明の第４実施形態の収納容器の開封前の状態を示す上面図
【図１１】本発明の第５実施形態の収納容器の開封前の状態を示す上面図
【図１２】本発明の第６実施形態の収納容器の樹脂シートを展開した斜視図
【図１３】本発明の第６実施形態の収納容器の収納部を開いた状態を示す斜視図
【図１４】本発明の第７実施形態の収納容器の開封前の状態を示す上面図
【図１５】本発明の第７実施形態の収納容器の樹脂シートの展開図
【図１６】本発明の第７実施形態の収納容器の台紙の平面図
【図１７】本発明の第７実施形態の収納容器の開封時の状態を示す上面図
【図１８】本発明の第７実施形態の収納容器の収納部を開いた状態を示す上面図
【図１９】本発明の第７実施形態の収納容器を再封した状態を示す上面図
【発明を実施するための形態】
【００２７】
＜第１実施形態＞
以下に図面を参照して本発明の実施形態を説明する。図１及び図２は第１実施形態の収納容器の上面図及び底面図をそれぞれ示している。また、図３は図２のＡ−Ａ断面図を示している。収納容器１は透明な樹脂シート１００の成形品を二つ折りして平面視略矩形に形成される。収納容器１の左右方向の長さ、前後方向（奥行き方向）の長さ及び高さ方向（厚み方向）の長さはそれぞれ約１７２ｍｍ、約７０ｍｍ及び約１５ｍｍになっている。樹脂シート１００の材質に特に限定はないが、例えばＰＥＴ（ポリエチレンテレフタラート）シートを用いることができる。
【００２８】
収納容器１は本体部２、カバー部３及び帯状部４（開封部）を備える。本体部２は収納部２０及びフランジ部２２を有する。収納部２０は本体部２に凹設して平面視略矩形に形成され、上面に開口面２０ａ（図３参照）を開口する。収納部２０の左右方向の長さ及び前後方向の長さはそれぞれ約１２０ｍｍ及び約６０ｍｍになっている。
【００２９】
収納部２０の内部には複数の内容物Ｓ（本実施形態では歯間ブラシ）を収納する。本実施形態において収納部２０は内容物Ｓを長手方向に並設して１５個収納できる。なお、収納部２０内に収納される内容物Ｓは１個でもよい。内容物Ｓには特に限定はないが、例えば、衛生用品、菓子、筆記具、電池、機械部品、電子部品等を挙げることができる。
【００３０】
収納部２０の底面には複数の仕切部２０ｂ（図３参照）が左右方向（長手方向）に所定周期で並んで突設される。隣接する仕切部２０ｂ間に内容物Ｓを配置することにより、内容物Ｓが並設して収納される。また、収納部２０内の底面には長手方向に延びる凹部２０ｃが凹設される。仕切部２０ｂは凹部２０ｃ上を避けて配される。
【００３１】
フランジ部２２は収納部２０の周縁から外側に突出し、収納部２０を囲むように環状に形成される。フランジ部２２には収納部２０の両側方に配置した前後に延びる一対の突設部２１（摺動部）が設けられる。突設部２１は後述の帯状部４から離れた端部（前端部）に配され、上方に向かって突出している。また、突設部２１は凹部２０ｃの延長上から避けて配される。左方の突設部２１よりも左方のフランジ部２２上には孔部２５（図５参照）が開口している。
【００３２】
カバー部３は帯状部４を介して本体部２の後端に連設され、樹脂シート１００の折曲により収納部２０の開口面２０ａ（図３参照）を覆う。カバー部３の収納部２０に対向する領域の両側方には前後方向（短手方向）に延びる一対の溝部３１（レール部）が凹設される。溝部３１はカバー部３の前端部から後端部にわたって収納部２０の凹部２０ｃに直交する方向に延びている。溝部３１には突設部２１が嵌合し、後述するように収納容器１の開封後に溝部３１内を突設部２１が摺動案内される。また、溝部３１には突設部２１よりも幅の広い拡幅部３１ａ（図５参照）が設けられる。拡幅部３１ａによって突設部２１との摺動摩擦を低減することができる。
【００３３】
カバー部３の上面（外面）上の前部には左右方向に延びる複数（本実施形態では４個）の突起部３２が設けられる。突起部３２は左右の溝部３１間の中央部に配される。カバー部３の左端部には孔部３５（図５参照）が開口している。後述のように樹脂シート１００の折曲によりカバー部３で収納部２０の開口面２０ａを覆った際に本体部２の孔部２５とカバー部３の孔部３５とが重なり、貫通孔１５が形成される。貫通孔１５に吊り下げ用の棒状部材（不図示）を挿通することにより、収納容器１は吊り下げて陳列される。
【００３４】
また、収納部２０に収納される内容物Ｓに関する絵や文字等の図柄及び収納容器１の後述の開封方法に関する情報を印刷したシート（不図示）がカバー部３の内面に貼着される。これにより、内容物Ｓの説明や広告、収納容器１の開封についての説明を行うことができる。なお、カバー部３に図柄及び上記情報を印刷してもよい。
【００３５】
帯状部４は溝部３１に直交する方向（左右方向）に延びる帯状に形成され、本体部２とカバー部３との間に配される。本体部２と帯状部４との境界はミシン目状の直線状の第１切断部４１により形成される。カバー部３と帯状部４との境界は波形に形成されたミシン目状の第２切断部４２により形成される。これにより、帯状部４は切り取り可能に配される。
【００３６】
また、収納容器１は樹脂シート１００を第１切断部４１上で二つ折りされる。第２切断部４２を直線状に形成してもよいが、第２切断部４２を波形に形成することにより、樹脂シート１００の第２切断部４２上での折曲が防止される。これにより、樹脂シート１００を第１切断部４１上で容易に折曲することができる。
【００３７】
なお、樹脂シート１００の第２切断部４２上での折曲を防止するためには、第２切断部４２の形状は直線状の第１切断部４１と異なる形状であればよく、例えば帯状部４が延びる方向で直線部分と曲線部分とが交互に配置された形状等でもよい。すなわち、第２切断部４２の形状は第１切断部４１よりも折曲しにくい形状であればよい。
【００３８】
図４は収納容器１の後端部の右コーナーの周辺を拡大した上面図を示している。なお、収納容器１の後端部の左コーナーの周辺は右コーナーの周辺と同様に構成されるため、右コーナーを代表して説明する。
【００３９】
本体部２、カバー部３及び帯状部４の両端の各コーナーはそれぞれ曲率半径Ｒ２、Ｒ３、Ｒ４の曲線により形成される。これにより、各コーナーによる手指の裂傷を防止することができる。また、各コーナーが曲線から成るため、左右の両端部において本体部２と帯状部４との間及びカバー部３と帯状部４との間にはそれぞれノッチ部５１、５２が形成される。これにより、帯状部４を容易に切り取ることができる。
【００４０】
この時、帯状部４の曲率半径Ｒ４は帯状部４に重なる本体部２のコーナーの曲率半径Ｒ２よりも小さくなっている。これにより、帯状部４の端部が本体部２よりも後方に突出するため、帯状部４を切り取る際に帯状部４の端部を容易に摘持することができる。
【００４１】
図５は収納容器１を形成する樹脂シート１００の展開図を示している。樹脂シート１００に対して真空成形を施すことにより、収納部２０、突設部２１、溝部３１及び突起部３２が形成される。また、第１切断部４１及び第２切断部４２を形成することにより、本体部２とカバー部３との間に帯状部４が形成される。孔部２５、３５は打抜きにより形成される。そして、カバー部３の内面に図柄が印刷されたシート（不図示）を貼着する。
【００４２】
収納部２０に複数の内容物Ｓを収納した後に、樹脂シート１００を第１切断部４１で折り曲げてカバー部３を本体部２に重ねて突設部２１を溝部３１に嵌合させる。これにより、収納部２０の開口面２０ａがカバー部３により覆われる。その後に、本体部２の前端部とカバー部３の前端部とを粘着テープ（不図示）等で貼り合わせる。以上により、内容物Ｓが収納された収納容器１が形成される。
【００４３】
内容物Ｓが収納部２０に収納された収納容器１は店舗等内に設置された吊り下げ用の棒状部材（不図示）を貫通孔１５に挿通して吊り下げられる。
【００４４】
図６は帯状部４を切り取った収納容器１の上面図を示している。使用者は前端の粘着テープを剥がした後に、帯状部４の端部を摘持して引くと、第１切断部４１及び第２切断部４２に沿って帯状部４が本体部２及びカバー部３から切り取られる。これにより、カバー部３が本体部２から分離され、収納容器１が開封される。この時、収納部２０がカバー部３に覆われるため、内容物Ｓの収納部２０からの飛び出しを防止することができる。
【００４５】
次に図７に示すように、片手で収納容器１を把持してカバー部３を前方（手前側）に引くと、突設部２１が溝部３１に摺動案内されてカバー部３が前方へスライドする。この時、カバー部３が本体部２の短手方向にスライドするため、収納容器１を片手で把持してカバー部３を親指で容易にスライドさせることができる。また、カバー部３の上面（外面）上に設けた突起部３２に手指を掛けることによって突起部３２が滑り止めになり、より容易にカバー部３をスライドさせることができる。
【００４６】
カバー部３のスライドによって収納部２０が開かれ、開口面２０ａを介して内容物Ｓを１個ずつ取り出すことができる。この時、カバー部３のスライドにより収納部２０が徐々に露出して収納部２０の一部がカバー部３に覆われた状態で内容物Ｓが取り出される。このため、内容物Ｓの収納部２０からの飛び出しが防止される。
【００４７】
また、収納部２０の底面に凹部２０ｃが凹設されるため、本体部２を凹部２０ｃ上で屈曲して内容物Ｓを容易に取り出すことができる。この時、突設部２１は凹部２０ｃの延長上から避けて配置されるため、本体部２を容易に屈曲させることができる。
【００４８】
使用者が必要な数だけ内容物Ｓを取り出した後に片手の手指でカバー部３を後方に向けて押すと、突設部２１が溝部３１に摺動案内されてカバー部３が後方へスライドする。これにより、収納部２０を閉じ、残りの内容物Ｓを保管することができる。
【００４９】
本実施形態によると、収納部２０を凹設した本体部２とカバー部３との間に切り取り可能な帯状部４（開封部）が配され、帯状部４の切り取りによって本体部２とカバー部３とが分離される。本体部２から分離されたカバー部３は突設部２１（摺動部）と溝部３１（レール部）との摺動によってスライドして収納部２０が開閉される。これにより、帯状部４を切り取って収納容器１を容易に開封できるとともに、開封時に収納部２０がカバー部３により覆われるため内容物Ｓの飛び出しが防止される。また、内容物Ｓを取り出す際にカバー部３のスライドにより収納部２０が徐々に露出するため内容物Ｓの飛び出しが防止される。したがって、収納容器１の利便性を向上させることができる。
【００５０】
また、本体部２と帯状部４との境界の第１切断部４１上で樹脂シート１００が折曲される。これにより、収納部２０の周囲にフランジ部２２を設けて本体部２を補強し、フランジ部２２上に帯状部４が重なる。このため、第２切断部４２上で樹脂シート１００を折曲する場合よりも収納容器１の前後方向の幅（帯状部４に直交する方向の幅）を小さくすることができる。
【００５１】
また、第１切断部４１が直線状に形成され、第２切断部４２が波形状に形成されている。これにより、第２切断部４２上での樹脂シート１００の折曲を防止することができ、第１切断部４１上で樹脂シート１００を確実に折り曲げることができる。したがって、収納容器１を容易に形成することができる。
【００５２】
また、溝部３１がカバー部３に設けられ、本体部２に突設部２１が設けられる。これにより、溝部３１よりも短い突設部２１をカバー部３に設けた場合よりもカバー部３の強度を高くすることができる。なお、本体部２は収納部２０が凹設されるため高い強度を有する。
【００５３】
また、溝部３１が帯状部４に直交する方向に延び、突設部２１が本体部２の帯状部４から離れた端部に設けられる。フランジ部２２に重なる帯状部４の切り取りによってカバー部３の後端は本体部２の後端よりも前方に配され、溝部３１が収納部２０に対して前方に片寄る。開いた状態の収納部２０は内容物Ｓに応じて前後方向に所望の露出長さＤ（図７参照）を確保される。この時、突設部２１を帯状部４に近い端部に設けると離れた端部に設けた場合よりも短く形成する必要がある。このため、帯状部４から離れた端部に突設部２１を設けることにより、突設部２１を長く形成して溝部３１との嵌合長さを長くできる。したがって、カバー部３を安定してスライドさせることができる。
【００５４】
また、収納部２０内には溝部３１に直交する方向に延びる凹部２０ｃが設けられている。これにより、本体部２を凹部２０ｃ上で屈曲して内容物Ｓを容易に取り出すことができる。また、突設部２１が凹部２０ｃの延長上から避けて配置されるので、本体部２を容易に屈曲させることができる。
【００５５】
また、収納部２０の底面から突設して内容物Ｓを仕切る複数の仕切部２０ｂが凹部２０ｃ上を避けて配される。これにより、本体部２を凹部２０ｃ上で容易に屈曲させることができる。
【００５６】
また、帯状部４のコーナーが帯状部４に重なる位置の本体部２のコーナーよりも小さい曲率半径Ｒ４の曲線により形成される。これにより、帯状部４の端部を容易に摘持することができる。したがって、帯状部４を本体部２及びカバー部３から容易に切り取ることができ、収納容器１の開封性を向上させることができる。
【００５７】
また、収納部２０が平面視略矩形に形成され、溝部３１が収納部２０の前後方向（短手方向）に延びる。これにより、カバー部３のストローク（移動距離）が長くなり過ぎず、使用者は片手でカバー部３をスライドさせて収納部２０を開閉することができる。したがって、収納容器１の利便性を一層向上させることができる。
【００５８】
また、カバー部３の上面（外面）上に突起部３２を設けているので、突起部３２が手指の滑り止めになり、カバー部３を容易にスライドさせることができる。
【００５９】
なお、複数の仕切部２０ｂを前後方向（短手方向）に並設し、内容物Ｓの長手方向が左右方向（長手方向）になるように内容物Ｓを収納部２０内に収納してもよい。これにより、カバー部３のスライドにより内容物Ｓを１個ずつ露出させて取り出すことができる。したがって、複数の内容物Ｓの収納部２０からの飛び出しを一層防止することができる。
【００６０】
＜第２実施形態＞
次に本発明の第２実施形態について説明する。図８は第２実施形態の開封前の収納容器の上面図を示している。説明の便宜上、図１〜図７に示す第１実施形態と同様の部分には同一の符号を付している。本実施形態では溝部３１が収納部２０の長手方向に延びている点で第１実施形態とは異なっている。その他の部分は第１実施形態と同様である。
【００６１】
帯状部４は収納部２０の短手方向（左右方向）に延びて形成されている。突設部２１及び溝部３１は収納部２０の長手方向（前後方向）に延びて形成されている。また、収納部２０の複数の仕切部２０ｂは長手方向に並設され、内容物Ｓの長手方向が左右方向になるように内容物Ｓは収納部２０内に収納される。
【００６２】
使用者が帯状部４を本体部２及びカバー部３から切り取った後に、カバー部３を前方に引くとカバー部３が収納部２０の長手方向に沿ってスライドして収納部２０が開く。この時、内容物Ｓを収納部２０の長手方向に並べて配置しているため、内容物Ｓを１個ずつ露出させて取り出すことができる。したがって、複数の内容物Ｓの収納部２０からの飛び出しを一層防止することができる。
【００６３】
なお、本実施形態において、仕切部２０ｂを収納部２０の短手方向に並設し、内容物Ｓを収納部２０の短手方向に並べて収納部２０内に収納してもよい。
【００６４】
＜第３実施形態＞
次に本発明の第３実施形態について説明する。図９は第３実施形態の開封前の収納容器の上面図を示している。説明の便宜上、図１〜図７に示す第１実施形態と同様の部分には同一の符号を付している。本実施形態は収納容器１の開封前で突設部２１が溝部３１の延びた方向の中央部に設けられている点で第１実施形態とは異なっている。その他の部分は第１実施形態と同様である。
【００６５】
カバー部３の前部及び後部には突起部３２が設けられる。収納部２０は前後２列に配され、それぞれに複数の内容物Ｓが収納される。使用者が帯状部４を本体部２及びカバー部３から切り取った後に、カバー部３を前方に引くと後方の収納部２０が開かれる。これにより、後方の収納部２０の内容物Ｓを１個ずつ取り出すことができる。一方、カバー部３を後方に引くと前方の収納部２０が開かれる。これにより、前方の収納部２０の内容物Ｓを１個ずつ取り出すことができる。したがって、収納容器１の利便性を一層向上させることができる。
【００６６】
なお、本実施形態において、仕切部２０ｂを前後方向（短手方向）に並設し、内容物Ｓの長手方向が左右方向になるように内容物Ｓを収納部２０内に収納してもよい。
【００６７】
＜第４実施形態＞
次に本発明の第４実施形態について説明する。図１０は第４実施形態の開封前の収納容器の上面図を示している。説明の便宜上、図１〜図７に示す第１実施形態と同様の部分には同一の符号を付している。本実施形態では突設部２１を本体部２の帯状部４側の端部に設けている点で第１実施形態とは異なっている。その他の部分は第１実施形態と同様である。
【００６８】
突設部２１は本体部２の帯状部４側の端部に設けられている。これにより、突設部２１は帯状部４の近傍に配される。また、突起部３２はカバー部３の前部ではなく後部（帯状部４側の端部）に設けられている。
【００６９】
使用者が帯状部４を本体部２及びカバー部３から切り取った後に、カバー部３を後方に引くとカバー部３が後方へスライドし、収納部２０が開く。これにより、上記したように第１実施形態よりも突設部２１の嵌合長さが短くなるが、使用者は収納部２０から内容物を１個ずつ取り出すことができる。
【００７０】
＜第５実施形態＞
次に本発明の第５実施形態について説明する。図１１は第５実施形態の開封前の収納容器の上面図を示している。説明の便宜上、図１〜図７に示す第１実施形態と同様の部分には同一の符号を付している。本実施形態では帯状部４が延びる方向と溝部３１が延びる方向とが直交していない点で第１実施形態とは異なっている。その他の部分は第１実施形態と同様である。
【００７１】
帯状部４及び溝部３１は収納部２０の長手方向（左右方向）に延びて形成されている。すなわち、溝部３１は帯状部４が延びる方向と略平行に延びて形成される。突起部３２はカバー部３の右端部に形成されている。粘着テープは本体部２及びカバー部３の左端部及び前端部に貼着されている。
【００７２】
使用者が粘着テープを剥がした後に帯状部４を本体部２及びカバー部３から切り取って、カバー部３を右方に引くと突設部２１が溝部３１に摺動案内されてカバー部３が右方にスライドする。これにより、収納部２０が開かれ、使用者は内容物Ｓを１個ずつ取り出すことができる。
【００７３】
なお、第１実施形態〜第５実施形態において、溝部３１を本体部２に設け、突設部２１をカバー部３に設けてもよい。これにより、カバー部３上から突設部２１が収納部２０と同じ方向に突出する。したがって、収納容器１の厚みを小さくすることができる。
【００７４】
また、第２切断部４２を直線状に形成して樹脂シート１００を第２切断部４２上で折曲してもよい。この場合、帯状部４のコーナーが帯状部４に重なる位置のカバー部３のコーナーよりも小さい曲率半径の曲線により形成されるとよい。これにより、帯状部４の端部がカバー部３よりも後方に突出するため、帯状部４を切り取る際に帯状部４の端部を容易に摘持することができる。また、第１切断部４１及び第２切断部４２と異なる箇所（帯状部４の内側または外側）に形成した折り線上で樹脂シート１００を折曲してもよい。
【００７５】
また、カバー部３の上面（外面）に左方の溝部３１から右方の溝部３１にわたって延びるリブを設けてもよい。これにより、カバー部３を補強してカバー部３の撓みを低減することができる。この場合、リブが突起部３２の機能を兼ねることができるため、突起部３２を省いてもよい。
【００７６】
また、第１実施形態〜第５実施形態において、帯状部４を本体部２とカバー部３との間に切り取り可能に配しているが、帯状部４の配置位置はこれに限定されない。帯状部４の切り取りにより本体部２とカバー部３とが分離されればよく、帯状部４を例えば本体部２またはカバー部３に切り取り可能に配してもよい。
【００７７】
＜第６実施形態＞
次に本発明の第６実施形態について説明する。図１２は第６実施形態の収納容器１を形成する樹脂シート１００を展開した斜視図を示している。説明の便宜上、図１〜図７に示す第１実施形態と同様の部分には同一の符号を付している。本実施形態では帯状部４に替えて半円形状の分割部８１が設けられる。また、溝部３１及び突設部２１に替えてそれぞれスリット７１（レール部）及び舌片部７２（摺動部）が設けられる。その他の部分は第１実施形態と同様である。
【００７８】
本体部２の収納部２０の両側方には直線状の切り込みから成るスリット７１が設けられる。カバー部３の一端にはミシン目８１ａに囲まれた分割部８１（開封部）が設けられる。分割部８１の内部には切り込みから成る折曲部８３が設けられ、ミシン目８１ａと折曲部８３との間の接続部８２によりカバー部３と本体部２とが接続されている。
【００７９】
カバー部３の本体部２から離れた端部にはスリット７１に対応する一対の舌片部７２が設けられる。舌片部７２は曲線状の切り込みにより形成され、本体部２上にカバー部３を折曲した際に切り起こしてスリット７１に挿入される。これにより、本体部２上にカバー部３が重ねられて内容物Ｓを収納した収納容器１が形成される。
【００８０】
カバー部３から分割部８１をミシン目８１ａで切り取ることによって本体部２とカバー部３とが分離される。そして、図１３に示すように舌片部７２がスリット７１により案内されて、舌片部７２がスライドする。これにより、カバー部３がスライドして収納部２０が開閉される。この時、分割部８１は接続部８２を介して本体部２に接続されている。
【００８１】
本実施形態でも第１実施形態と同様の効果を得ることができる。また、スリット７１及び舌片部７２を設けているため、収納容器１を容易に実現することができる。また、分割部８１はカバー部３から切り取られた際に本体部２に接続されているため、分割部８１を捨てる手間を省くことができる。なお、スリット７１をカバー部３に設け、舌片部７２を本体部２に設けてもよい。
【００８２】
＜第７実施形態＞
次に図１４は第７実施形態の開封前の収納容器１の上面図を示している。説明の便宜上、図１〜図７に示す第１実施形態と同様の部分には同一の符号を付している。本実施形態は帯状部４（図１参照）に替えてフラップ部６が設けられ、カバー部３の内面に台紙２００（図１６参照）が設けられる。その他の部分は第１実施形態と同様である。
【００８３】
カバー部３はフラップ部６（開封部）を介して本体部２の後端に連設される。本体部２とフラップ部６との境界はミシン目状（図１５参照）の直線状の折り線６１により形成される。折り線６１上で樹脂シート１００を折曲して収納部２０の開口面２０ａ（図１５参照）がカバー部３により覆われる。
【００８４】
カバー部３とフラップ部６との境界は断続的な切り込みから成る切断部６２により形成される。切断部６２は傾斜部６２ａ及び突出部６２ｂを有している。傾斜部６２ａはミシン目状に形成されて左右一対設けられ、両側端から折り線６１に対して離れる方向に傾斜する。突出部６２ｂは左右両方の傾斜部６２ａを連結する連続した切り込みから成り、折り線６１に対して離れる方向に突出する。突出部６２ｂによりフラップ部６の左右方向の中央部にはカバー部３の開放端の方向に突出する突出片６８が形成される。
【００８５】
突出部６２ｂが連続した切り込みから成るため、突出片６８とカバー部３とは予め切り離されている。これにより、フラップ部６は切断部６２上の切断によりカバー部３から切り離される。すなわち、フラップ部６は切断部６２上の切断によって本体部２とカバー部３とを分離可能に配される。
【００８６】
フラップ部６の外面には左端部から右端部にわたって延びる突起部６９が設けられる。これにより、フラップ部６を補強してフラップ部６の撓みを低減することができる。また、突出片６８の外面上には左右方向に延びる凹部６８ａが凹設され、凹部６８ａの後方には凸部６８ｂが突設される。これにより、突出片６８を補強して突出片６８の撓みを低減することができる。
【００８７】
カバー部３の外面には所定幅で曲線状及び直線状に延びる凸部３８が突設される。凸部３８により、カバー部３を補強してカバー部３の撓みを低減することができる。カバー部３の外面の中央部にはローレット加工等により外形が略Ｄ字状の滑り止め部３６が形成される。滑り止め部３６によって手指によりスライドされるカバー部３が滑り止めされる。
【００８８】
カバー部３の一側端部には本体部２の孔部２５に対向する略Ｕ字状の切欠き部３９が形成されている。これにより、カバー部３に孔部３５（図５参照）を形成する必要がなく、成形時の抜きカスを削減することができる。
【００８９】
図１５は収納容器１を形成する樹脂シート１００の展開図を示している。前後方向（短手方向）に延びる一対の溝部３１（レール部）は本体部２の収納部２０の両側方のフランジ部２２に凹設される。前後に延びる一対の突設部２１（摺動部）はカバー部３の収納部２０に対向する領域の両側方に凹設される。突設部２１はフラップ部６から離れた端部（前端部）に配され、下方に向かって突出している。
【００９０】
溝部３１を本体部２に設けて突設部２１をカバー部３に設けているので、カバー部３上から突設部２１が収納部２０と同じ方向（下方）に突出する。したがって、収納容器１の厚みを小さくすることができる。
【００９１】
図１６はカバー部３の内面側に配される台紙２００の平面図を示している。台紙２００は板紙により本体部２と略同じ大きさに形成される。台紙２００には内容物Ｓに関する絵や文字等の図柄及び収納容器１の開封方法に関する情報が印刷される。
【００９２】
台紙２００の一側端部には本体部２の孔部２５に対向する孔部２０４が開口し、前部には突設部２１が嵌合する一対の嵌合孔２０３が開口する。突設部２１がカバー部３に設けられるため、嵌合孔２０３により台紙２００をカバー部３の内面に容易に取り付けることができる。これにより、台紙２００をカバー部３とともに一体にスライドさせることができる。
【００９３】
台紙２００の後部の左右方向の中央部には切り込みから成る挿入部２０１及び切離し部２０２が形成される。切離し部２０２は左右一対設けられ、前後方向に延びて形成される。挿入部２０１は左右の切離し部２０２を連結し、後方に凸のくの字形状に形成される。
【００９４】
上記構成の収納容器１において、展開した樹脂シート１００のカバー部３の内面に台紙２００が取り付けられ、収納部２０に複数の内容物Ｓが収納される。次に、樹脂シート１００が折り線６１で折曲され、カバー部３を本体部２に重ねて突設部２１を溝部３１に嵌合させる。これにより、収納部２０の開口面２０ａ（図１５参照）がカバー部３により覆われる。その後に、本体部２の前端部とカバー部３の前端部とを粘着テープ（不図示）等で貼り合わせる。以上により、内容物Ｓが収納された収納容器１が形成される。
【００９５】
内容物Ｓが収納部２０に収納された収納容器１は店舗等内に設置された吊り下げ用の棒状部材（不図示）を切欠き部３９、孔部２０４及び孔部２５に挿通して吊り下げられる。
【００９６】
収納容器１の開封時にはフラップ部６が切断部６２上で切断される。図１７はこの時の収納容器１の上面図を示している。使用者は前端の粘着テープを剥がした後に、突出片６８の前端（先端）を摘持して上方に引くと、切断部６２に沿ってフラップ部６がカバー部３から切り離される。これにより、カバー部３が本体部２から分離され、収納容器１が開封される。この時、収納部２０がカバー部３に覆われるため、内容物Ｓの収納部２０からの飛び出しを防止することができる。また、切断部６２が傾斜部６２ａを有するため、使用者はフラップ部６とカバー部３との間を切断部６２上で容易に切断することができる。
【００９７】
次に図１８に示すように、片手で収納容器１を把持してカバー部３を後方（奥側）に押すと、突設部２１が溝部３１に摺動案内されてカバー部３が後方へスライドする。この時、台紙２００（図１６参照）の嵌合孔２０３に突設部２１が嵌合しているため、台紙２００はカバー部３に追随して後方へスライドする。また、カバー部３の上面（外面）上の滑り止め部３６に手指を置くことによって滑り止めされ、より容易にカバー部３をスライドさせることができる。
【００９８】
カバー部３のスライドによって収納部２０が開かれ、開口面２０ａを介して内容物Ｓを１個ずつ取り出すことができる。この時、第１実施形態と同様に、カバー部３のスライドにより収納部２０が徐々に露出して収納部２０の一部がカバー部３に覆われた状態で内容物Ｓが取り出される。このため、内容物Ｓの収納部２０からの飛び出しが防止される。
【００９９】
使用者が必要な数だけ内容物Ｓを取り出した後に片手の手指でカバー部３を前方に向けて引くと、突設部２１が溝部３１に摺動案内されてカバー部３及び台紙２００が前方へスライドする。これにより、収納部２０を閉じ、残りの内容物Ｓを保管することができる。
【０１００】
そして、図１９に示すように、突出片６８の先端が台紙２００の挿入部２０１に挿入される。この時、挿入部２０１の後方が切離し部２０２によって台紙２００上で下方に離れて容易に傾斜するとともに、凹部６８ａにより押圧される。このため、突出片６８を容易に挿入部２０１に挿入することができる。突出片６８が挿入部２０１に挿入されると、フラップ部６が台紙２００に係止され、カバー部３のスライドが規制される。
【０１０１】
また、再封された収納容器１は凸部６８ｂに手指を掛けてフラップ部６を撓ませることにより、突出片６８を挿入部２０１から容易に抜いてフラップ部６を開くことができる。
【０１０２】
本実施形態によると、第１実施形態と同様の効果を得ることができる。また、フラップ部６（開封部）が折り線６１で本体部２に対して折曲され、切断部６２でカバー部３に対して切断される。これにより、フラップ部６を切断部６２で切断して本体部２とカバー部３とを分離する開封部を容易に実現することができる。
【０１０３】
また、切断部６２が傾斜部６２ａ及び突出部６２ｂを有するので、突出片６８を摘持して収納容器１を容易に開封することができる。
【０１０４】
また、台紙２００に突出片６８が挿入される挿入部２０１を設けたので、収納容器１を容易に再封してカバー部３のスライドを防止することができる。
【産業上の利用可能性】
【０１０５】
本発明は、樹脂シートにより形成され、一又は複数の内容物を収納する収納容器に利用可能である。
【符号の説明】
【０１０６】
１      収納容器
２      本体部
３      カバー部
４      帯状部（開封部）
６      フラップ部（開封部）
１５    貫通孔
２０    収納部
２０ａ  開口面
２０ｂ  仕切部
２０ｃ  凹部
２１    突設部（摺動部）
２２    フランジ部
２５    孔部
３１    溝部（レール部）
３２    突起部
３５    孔部
３６    滑り止め部
３８    凸部
３９    切欠き部
４１    第１切断部
４２    第２切断部
５１、５２    ノッチ部
６１    折り線
６２    切断部
６８    突出片
６８ａ  凹部
６８ｂ  凸部
７１    スリット（レール部）
７２    舌片部（摺動部）
８１    分割部（開封部）
８３    折曲部
２００    台紙
２０１    挿入部
Ｓ      内容物
【図１】
0006801309.tif 000002
【図２】
0006801309.tif 000003
【図３】
0006801309.tif 000004
【図４】
0006801309.tif 000005
【図５】
0006801309.tif 000006
【図６】
0006801309.tif 000007
【図７】
0006801309.tif 000008
【図８】
0006801309.tif 000009
【図９】
0006801309.tif 000010
【図１０】
0006801309.tif 000011
【図１１】
0006801309.tif 000012
【図１２】
0006801309.tif 000013
【図１３】
0006801309.tif 000014
【図１４】
0006801309.tif 000015
【図１５】
0006801309.tif 000016
【図１６】
0006801309.tif 000017
【図１７】
0006801309.tif 000018
【図１８】
0006801309.tif 000019
【図１９】
0006801309.tif 000020